(57)【要約】【課題】ユーザの心理的なストレスを軽減するユーザインターフェイスを提供すること。【解決手段】情報処理装置は、人物を検出する人物検出手段と、人物検出手段により検出された人物同士の親密度を判定する判定手段と、判定手段の判定結果に応じて、表示手段に対する所定画面の表示を制限する表示制御手段と、を備える。【選択図】図４
2015103158.tif 000002
【特許請求の範囲】
【請求項１】
人物を検出する人物検出手段と、
前記人物検出手段により検出された人物同士の親密度を判定する判定手段と、
前記判定手段の判定結果に応じて、表示手段に対する所定画面の表示を制限する表示制御手段と、
を備えることを特徴とする情報処理装置。
【請求項２】
請求項１に記載の情報処理装置において、
前記判定手段は、前記人物検出手段により検出された所定人物との親密度が低い人物が前記人物検出手段により検出された人物の中にいるか否かを判定し、
前記表示制御手段は、前記判定手段により前記親密度が低い人物がいると判定された場合に、前記所定画面の表示を制限することを特徴とする情報処理装置。
【請求項３】
請求項２に記載の情報処理装置において、
前記表示制御手段は、前記判定手段により前記親密度が低い人物がいないと判定された場合には、個人情報を含む画面を前記表示手段に表示させ、前記判定手段により前記親密度が低い人物がいると判定された場合には、個人情報を含む画面を前記表示手段に表示させないことを特徴とする情報処理装置。
【請求項４】
請求項２または３に記載の情報処理装置において、
前記表示制御手段は、前記判定手段により前記親密度が低い人物がいないと判定された場合には、人物同士の親密度に関する情報の入力が可能な画面を前記表示手段に表示させ、前記判定手段により前記親密度が低い人物がいると判定された場合には、人物同士の親密度に関する情報の入力が可能な画面を前記表示手段に表示させないことを特徴とする情報処理装置。
【請求項５】
請求項１〜４のいずれか一項に記載の情報処理装置において、
前記表示手段は、所定の情報表示装置に対して情報の表示を指示するための端末装置の表示部であり、
前記人物検出手段は、前記端末装置のユーザを含む前記情報表示装置の周囲にいる人物を検出し、
前記判定手段は、前記人物検出手段により検出された人物の中に前記端末装置のユーザとの親密度が低い人物がいるか否かを判定し、
前記表示制御手段は、前記判定手段により前記親密度が低い人物がいると判定された場合には、前記端末装置の表示部に対する所定画面の表示を制限することを特徴とする情報処理装置。
【請求項６】
人物を検出する人物検出処理と、
前記人物検出処理により検出された人物同士の親密度を判定する判定処理と、
前記判定処理の判定結果に応じて、表示手段に対する所定画面の表示を制限する表示制御処理と、
をコンピュータに実行させることを特徴とする情報処理プログラム。
【請求項７】
情報表示装置と、前記情報表示装置に対して情報の表示を指示するための端末装置と、を備える情報表示システムであって、
前記端末装置のユーザを含む前記情報表示装置の周囲にいる人物を検出する人物検出手段と、
前記人物検出手段により検出された人物の中に前記端末装置のユーザとの親密度が低い人物がいるか否かを判定する判定手段と、
前記判定手段により前記親密度が低い人物がいると判定された場合には、前記端末装置の表示部に対する所定画面の表示を制限する表示制御手段と、
を有することを特徴とする情報表示システム。
【請求項８】
人物を検出する人物検出手段と、
前記人物検出手段により検出された人物の所定装置の使用履歴情報を取得する取得手段と、
前記取得手段により取得された使用履歴情報に応じて、表示手段に対する所定画面の表示を制限する表示制御手段と、
を備えることを特徴とする情報処理装置。
【請求項９】
請求項８に記載の情報処理装置において、
前記表示手段は、所定の情報表示装置に対して情報の表示を指示するための端末装置の表示部であり、
前記人物検出手段は、前記端末装置のユーザを含む前記情報表示装置の周囲にいる人物を検出し、
前記取得手段は、前記人物検出手段により検出された人物の前記情報表示装置の使用履歴情報を取得し、
前記表示制御手段は、前記使用履歴情報に応じて、前記端末装置の表示部に対する前記所定画面の表示を制限することを特徴とする情報処理装置。
【請求項１０】
請求項９に記載の情報処理装置において、
前記端末装置のユーザにおける前記情報表示装置の使用履歴情報と前記人物検出手段により検出された前記端末装置のユーザ以外の人物における前記情報表示装置の使用履歴情報と、を比較する比較手段をさらに備え、
前記比較手段による比較結果に応じて、前記端末装置の表示部に対する所定画面の表示を制限することを特徴とする情報処理装置。
【発明の詳細な説明】
【技術分野】
【０００１】
本発明は、情報処理装置、情報処理プログラムおよび情報表示システムに関する。
【背景技術】
【０００２】
コンテンツデータを出力するデータ処理装置であって、所定のユーザ間の親密度を参照し、親密度が所定の閾値以上の場合に、親密度に対応付けられるコンテンツデータを出力する装置が知られている（特許文献１参照）。
【先行技術文献】
【特許文献】
【０００３】
【特許文献１】国際公開第２０１１／１１４６３４号
【発明の概要】
【発明が解決しようとする課題】
【０００４】
上記従来技術のように親密度を用いて処理を行うような装置において、装置で用いられるユーザ間の親密度が正確ではない場合がある。そこで、このような場合には、ユーザが装置に対して正しい親密度を入力することが考えられる。しかしながら、ユーザの周囲に他人がいる状況では、ユーザが親密度を入力している画面を他人に観察されるおそれがあり、ユーザにとって心理的なストレスになるという問題があった。
【課題を解決するための手段】
【０００５】
請求項１に記載の情報処理装置は、人物を検出する人物検出手段と、人物検出手段により検出された人物同士の親密度を判定する判定手段と、判定手段の判定結果に応じて、表示手段に対する所定画面の表示を制限する表示制御手段と、を備えることを特徴とする。
請求項６に記載の情報処理プログラムは、人物を検出する人物検出処理と、人物検出処理により検出された人物同士の親密度を判定する判定処理と、判定処理の判定結果に応じて、表示手段に対する所定画面の表示を制限する表示制御処理と、をコンピュータに実行させることを特徴とする。
請求項７に記載の情報表示システムは、情報表示装置と、情報表示装置に対して情報の表示を指示するための端末装置と、を備える情報表示システムであって、端末装置のユーザを含む情報表示装置の周囲にいる人物を検出する人物検出手段と、人物検出手段により検出された人物の中に端末装置のユーザとの親密度が低い人物がいるか否かを判定する判定手段と、判定手段により親密度が低い人物がいると判定された場合には、端末装置の表示部に対する所定画面の表示を制限する表示制御手段と、を有することを特徴とする。
請求項８に記載の情報処理装置は、人物を検出する人物検出手段と、人物検出手段により検出された人物の所定装置の使用履歴情報を取得する取得手段と、取得手段により取得された使用履歴情報に応じて、表示手段に対する所定画面の表示を制限する表示制御手段と、を備えることを特徴とする。
【発明の効果】
【０００６】
本発明によれば、ユーザの心理的なストレスを軽減するユーザインターフェイスを提供することができる。
【図面の簡単な説明】
【０００７】
【図１】情報表示システムの構成を説明する図である。
【図２】情報表示装置および端末装置の構成を説明する図である。
【図３】情報表示装置の表示画面の一例を示す図である。
【図４】第１の実施の形態において、情報表示装置に画像をアップロードする動作の流れを説明するフローチャートである。
【図５】第１表示処理の流れを説明するフローチャートである。
【図６】第１表示処理における端末装置の表示画面の一例図である。
【図７】画像の関連付けの表示例を示す図である。
【図８】第２表示処理の流れを説明するフローチャートである。
【図９】第２表示処理における端末装置の表示画面の一例図である。
【図１０】第２の実施の形態において、情報表示装置に画像をアップロードする動作の流れを説明するフローチャートである。
【図１１】第３の実施の形態において、情報表示装置に画像をアップロードする動作の流れを説明するフローチャートである。
【発明を実施するための形態】
【０００８】
まず、本発明を実施するための形態についての説明の前に、その前提となる技術について説明する。不特定多数の視聴者を想定し、様々な情報や広告等のコンテンツを表示するデジタルサイネージに代表される画像表示装置が普及しつつある。このような画像表示装置は、単純に旧来の紙媒体のサイネージの置き換えではなく、各種のセンサ機能を備えることで、画像表示装置の前方にいる視聴者の行動や人数、表情、動作に応じて動的にその表示内容（コンテンツ）を切り替えて、ユーザの要望にマッチしたサービスを提供することができる。また、ユーザ同士のコミュニケーションのための所謂ソーシャルネットワークサービスでは、ユーザ同士の趣味嗜好や交友関係などの情報をもとに動的にユーザの要望にマッチした新たなコネクションを提案（あるいは自動的にコネクションを確立）することが行われている。
【０００９】
しかしながら、このような装置やサービスは、ベースとなる情報の正確性や現状との整合性などに問題がある場合に、ユーザにマッチしていない（すなわちユーザが望んでいない）サービスやコネクションを提案してしまうことがある。このようなミスマッチは、ユーザに提供するサービスやコネクションを決定する際の情報処理の精度を高めることで軽減されるが、最終的にヒトという不確かで好悪にゆらぎ幅のある存在が対象であることから、完璧にマッチした（すなわち外れない）結果を望むことは困難である。そのためユーザは、その時の意思を確認するためのリアクション（提示されたサービスやコネクションの提案に対する承認あるいは拒否の意思表示）を行う必要があった。しかしながら、このようなリアクションの入力自体が煩雑であることはもちろん、承認や拒否を行っている状況、あるいは行った事実を他のユーザが観察できることがユーザにとって心理的なストレスになるおそれがある。そこで、以下に説明する実施の形態では、装置から提供されるサービスやコネクションに対するリアクションをユーザがストレスを感じることなく行えるようなユーザインターフェイスを提案する。
【００１０】
以下、図面を参照して本発明を実施するための形態について説明する。
−第１の実施の形態−
（情報表示システムの構成）
図１は、本発明の第１の実施の形態による情報表示システム１の全体構成を説明する図である。情報表示システム１は、情報表示装置１０と、情報表示装置１０に対して情報の表示を指示するための複数の端末装置２０と、を有する。
【００１１】
情報表示装置１０は、比較的大型のディスプレイ１０２を有し、複数のユーザが同時にディスプレイ１０２を閲覧可能に構成されたパブリックな装置である。ここで、パブリックな装置とは、複数のユーザが同時に別々のあるいは同じ目的をもって情報表示装置１０を使用可能であるという意味である。したがって、情報表示装置１０では、いわゆる一般的なパーソナルコンピュータのＯＳ（Operating System）で見られるような、複数のユーザがログインアカウントを持ち、これを切り替えながら１台の装置をシェアする使用感とは異なった使用感をユーザに与えることができる。情報表示装置１０は、実世界で使っているピンボードやコルクボード、掲示板のような使用感をデジタル技術で実現したものであるとも言える。
【００１２】
端末装置２０は、ユーザが持ち運び可能な携帯型の情報端末であり、たとえば、携帯電話やスマートフォン、タブレットコンピュータ、通信機能を備えたカメラなどである。パブリックな装置である情報表示装置１０に対して、端末装置２０は、これを所有するユーザのみが使用可能なプライベートな装置とも言える。端末装置２０は、無線通信により、直接、あるいはアクセスポイントやネットワークなどを介して情報表示装置１０と接続される。各ユーザは、自身の所有する端末装置２０を用いて、画像やメッセージなどを情報表示装置１０に送信し、情報表示装置１０のディスプレイ１０２上の所望の位置に表示させることができるようになっている。
【００１３】
（情報表示装置１０の構成）
図２は、情報表示装置１０および端末装置２０の構成を例示するブロック図である。情報表示装置１０は、制御部１０１と、ディスプレイ１０２と、ディスプレイドライバ１０３と、タッチセンサ１０４と、Ｉ／Ｆ（インターフェース）ドライバ１０５と、カメラ部１０６とを備える。さらに情報表示装置１０は、メモリ１０７と、バッテリ１０８と、電源コントローラ１０９と、無線送受信部１１０と、無線通信ドライバ１１１とを有する。
【００１４】
制御部１０１は、情報表示装置１０の各部を制御する電子回路であり、ＣＰＵとその周辺回路とから構成される。制御部１０１は、メモリ１０７に記憶された制御プログラムを読み込んで実行することにより、各部の制御を行ったり、後述する各種処理を実行したりする。
【００１５】
ディスプレイ１０２は、比較的大型のディスプレイであり、複数のユーザが同時にディスプレイ１０２を閲覧可能に構成されている。ディスプレイドライバ１０３は、制御部１０１からの指示に応じて各種画面をディスプレイ１０２に表示するための制御を行う。
【００１６】
タッチセンサ１０４は、ディスプレイ１０２の表示面に積層されており、ユーザの指などが接触した接触位置を検出する。Ｉ／Ｆドライバ１０５は、タッチセンサ１０４により検出された接触位置を示す信号を制御部１０１に出力する。
【００１７】
カメラ部１０６は、不図示の撮影光学系および撮像素子を含み、制御部１０１からの指示に応じて、撮影光学系により結像された被写体像を撮像して、撮影画像を出力する。またカメラ部１０６は、情報表示装置１０の周囲にいる人物を検出できるよう、情報表示装置１０の前方を撮影可能に構成されている。
【００１８】
メモリ１０７は、たとえばフラッシュメモリなどの不揮発性メモリであり、各種データが記憶されている。電源コントローラ１０９は、バッテリ１０８の電圧を情報表示装置１０内の各部で必要な電圧に変換して各部へ供給する。無線送受信部１１０は、無線通信ドライバ１１１の制御のもと、無線通信により、直接、あるいはアクセスポイントやネットワークなどを介して、端末装置２０とデータ通信を行う。
【００１９】
（端末装置２０の構成）
端末装置２０は、制御部２０１と、端末表示部２０２と、ディスプレイドライバ２０３と、タッチセンサ２０４と、Ｉ／Ｆ（インターフェース）ドライバ２０５と、カメラ部２０６とを備える。さらに端末装置２０は、メモリ２０７と、バッテリ２０８と、電源コントローラ２０９と、無線送受信部２１０と、無線通信ドライバ２１１とを有する。
【００２０】
制御部２０１は、端末装置２０の各部を制御する電子回路であり、ＣＰＵとその周辺回路とから構成される。制御部２０１は、メモリ２０７に記憶された制御プログラムを読み込んで実行することにより、各部の制御を行ったり、後述する各種処理を実行したりする。
【００２１】
端末表示部２０２は、例えば液晶ディスプレイなどの表示装置であり、各種画面を表示する。ディスプレイドライバ２０３は、制御部２０１からの指示に応じて各種画面を端末表示部２０２に表示するための制御を行う。
【００２２】
タッチセンサ２０４は、端末表示部２０２の表示面に積層されており、ユーザの指などが接触した接触位置を検出する。Ｉ／Ｆドライバ２０５は、タッチセンサ２０４により検出された接触位置を示す信号を制御部２０１に出力する。
【００２３】
カメラ部２０６は、不図示の撮影光学系および撮像素子を含み、制御部２０１からの指示に応じて、撮影光学系により結像された被写体像を撮像して、撮影画像を出力する。
【００２４】
メモリ２０７は、たとえばフラッシュメモリなどの不揮発性メモリであり、各種データが記憶されている。電源コントローラ２０９は、バッテリ２０８の電圧を端末装置２０内の各部で必要な電圧に変換して各部へ供給する。無線送受信部２１０は、無線通信ドライバ２１１の制御のもと、無線通信により、直接、あるいはアクセスポイントやネットワークなどを介して、情報表示装置１０とデータ通信を行う。
【００２５】
なお、以上に説明した端末装置２０の構成は一例である。本実施の形態における端末装置２０は、複数のユーザがそれぞれ所有するものであり、図２に図示したものとは異なる構成のものを含む。
【００２６】
（情報表示システムの利用方法）
次に、情報表示システム１の利用方法を説明する。情報表示システム１は、たとえば、学校の教室におけるコミュニケーションのために利用することができる。この場合、情報表示装置１０が学校の教室に設置され、その教室の生徒がユーザとなる。
【００２７】
図３は、情報表示装置１０のディスプレイ１０２に表示される表示画面の一例を示す図である。各ユーザは、自身の所有する端末装置２０を用いて、自身が撮影した写真画像を情報表示装置１０にアップロードし、ディスプレイ１０２の表示画面内の所望の位置に写真画像を表示させることができる。
【００２８】
たとえば、図３では、表示画面内の左下の位置に、ユーザＡの端末装置２０からアップロードされた写真画像ＰｉＡが表示されている。ユーザＡからアップロードされた写真画像ＰｉＡが複数枚ある場合には、複数枚の写真画像ＰｉＡが同じ位置に一部ずらして重ねて表示され、たとえば最新の写真画像ＰｉＡが最も手前側に表示される。また、写真画像ＰｉＡの近傍にはユーザＡを表すプロフィール画像ＰｆＡが表示されている。これにより、写真画像ＰｉＡがユーザＡによりアップロードされた画像であることを示している。
【００２９】
また、図３では、表示画面内の右下の位置に、ユーザＢの端末装置２０からアップロードされた写真画像ＰｉＢが複数枚重ねて表示されており、写真画像ＰｉＢの近傍にはユーザＢを表すプロフィール画像ＰｆＢが表示されている。さらに、最も手前側の写真画像ＰｉＢの近傍には写真画像ＰｉＢに対するコメントＣｍＢが表示されている。このように各ユーザは、端末装置２０を用いて、写真画像と共にその写真画像に対するコメントを情報表示装置１０に表示させることができるようにもなっている。
【００３０】
また、たとえば、各ユーザは、自身の所有する端末装置２０を用いて、自身が作成したメッセージを情報表示装置１０に送信し、ディスプレイ１０２の表示画面内の所望の位置にメッセージダイアログを表示させることができる。なお、各ユーザは、情報表示装置１０のタッチセンサ１０４を介して情報表示装置１０に直接メッセージを入力することも可能である。この場合、情報表示装置１０は、ソフトウェアキーによる入力に応じてメッセージをテキストデータとして取得してもよいし、手書き入力に応じてメッセージをベクタデータとして取得するようにしてもよい。たとえば、図３では、表示画面内の左上の位置に、ユーザＣから入力されたメッセージダイアログＭｄＣが表示されており、メッセージダイアログＭｄＣの近傍にはユーザＣを表すプロフィール画像ＰｆＣが表示されている。
【００３１】
また、ユーザは、自身の所有する端末装置２０を用いて、メッセージの音声データを情報表示装置１０に送信するようにしてもよい。この場合、情報表示装置１０は、たとえば、クリックされると上記メッセージの音声データを再生するクリッカブルなボイスメモアイコンをディスプレイ１０２に表示させる。たとえば、図３では、表示画面内の右上の位置に、ユーザＤの端末装置２０から送信されたメッセージの音声データに対応するボイスメモアイコンＶｍＤが表示されており、ボイスメモアイコンＶｍＤの近傍にはユーザＤを表すプロフィール画像ＰｆＤが表示されている。たとえば、情報表示装置１０では、タッチセンサ１０４を介してボイスメモアイコンＶｍＤがタップ操作されると、ボイスメモアイコンＶｍＤに対応付けられた音声データを再生して、不図示のスピーカから出力させる。
【００３２】
さらに、上述した例とは逆に、各ユーザは、自身の所有する端末装置２０に、情報表示装置１０のディスプレイ１０２に表示されている写真画像をダウンロードしたり、メッセージダイアログの内容を受信したりすることもできるようになっている。
【００３３】
（画像のアップロード）
次に、端末装置２０から情報表示装置１０に画像をアップロードする動作の流れについて、図４に示すフローチャートを用いて説明する。ここでは、ユーザＡが自身の所有する端末装置２０で撮影した写真画像を情報表示装置１０にアップロードする場合を一例として説明する。
【００３４】
ステップＳ１において、ユーザＡは、端末装置２０を操作して、端末装置２０において情報表示システム１を使用するための所定のアプリケーションプログラムを起動させ、情報表示装置１０にアップロードしたい写真画像を選択する。
【００３５】
ステップＳ２において、ユーザＡは、端末装置２０を情報表示装置１０のディスプレイ１０２の表示面に接触させる。
【００３６】
ステップＳ３において、情報表示装置１０は、端末装置２０と無線による通信を開始する。このように情報表示システム１では、情報表示装置１０と端末装置２０とが接触されると、情報表示装置１０と端末装置２０の通信を開始する。この場合、たとえば、情報表示装置１０と端末装置２０とが接触した衝撃が情報表示装置１０の角速度センサと端末装置２０の角速度センサとで同時に検出されることにより、情報表示装置１０と端末装置２０との接触を検出する。
【００３７】
ステップＳ４において、端末装置２０は、メモリ２０７に記憶されているユーザＡのアカウント情報を、無線送受信部２１０を用いて情報表示装置１０に送信する。情報表示装置１０の制御部１０１は、端末装置２０から送信されたユーザＡのアカウント情報に基づいてユーザ認証を行う。
【００３８】
ステップＳ５において、端末装置２０は、メモリ２０７に記憶された、ユーザＡの通話記録やメールの送受信記録、情報表示装置１０との通信記録など、ユーザＡのコミュニケーション履歴の情報を、無線送受信部２１０を用いて情報表示装置１０に送信する。情報表示装置１０の制御部１０１は、端末装置２０から送信された上記ユーザＡのコミュニケーション履歴の情報と、メモリ１０７に記憶されている他のユーザのコミュニケーション履歴の情報とを照合する。そして、制御部１０１は、この照合結果に基づいて、ユーザＡと他のユーザとの親密度を判定する。なお、ユーザ同士の親密度を判定する手法については、この方法に限らなくてよく、種々の既存技術を用いればよいため、詳細な説明を省略する。また、ユーザ同士の親密度を判定するタイミングもこれに限らなくてよく、予めユーザ同士の親密度を判定しておき、判定結果を情報表示装置１０のメモリ１０７に記憶させておくようにしてもよい。
【００３９】
ステップＳ６において、情報表示装置１０の制御部１０１は、ステップＳ５での親密度の判定結果に基づいて、ディスプレイ１０２に写真画像を表示させている他のユーザ（ユーザＡ以外のユーザ）のうち、ユーザＡと最も親密度が高いユーザ（たとえばユーザＢとする）を特定する。そして、情報表示装置１０の制御部１０１は、ユーザＡと最も親密度が高いユーザとして特定したユーザＢが情報表示装置１０にアップロードしディスプレイ１０２に表示させている写真画像の中から最新の写真画像を抽出する。ここで抽出した写真画像は、ユーザＡがアップロードしようとしている写真画像と関連付けを行う候補画像とされる。
【００４０】
ステップＳ７において、情報表示装置１０の制御部１０１は、カメラ部１０６によりディスプレイ１０２の前方を撮影させ、カメラ部１０６による撮影画像に基づいて情報表示装置１０の周囲にいる人物を検出する。たとえば、情報表示装置１０では、各ユーザの顔画像データが各ユーザを特定する情報（ユーザＩＤなど）に対応付けられてメモリ１０７に記憶されている。情報表示装置１０の制御部１０１は、カメラ部１０６による撮影画像から顔検出処理によって人物の顔を検出し、メモリ１０７に記憶された顔画像データと照合することにより、情報表示装置１０の周囲に誰がいるのかを特定する。ここで、情報表示装置１０の近傍には画像をアップロードしようとしているユーザＡがいるので、情報表示装置１０の制御部１０１は、ユーザＡを検出する。また、情報表示装置１０の制御部１０１は、ユーザＡ以外の人物が情報表示装置１０の周囲にいる場合には、その人物も検出する。
【００４１】
ステップＳ８において、情報表示装置１０の制御部１０１は、ステップＳ５での親密度の判定結果に基づいて、ステップＳ７で検出された人物のうち、端末装置２０のユーザであるユーザＡと親密度が低い人物がいるか否かを判定する。ここでは、たとえば、ユーザＡとの親密度が所定の閾値以下である人物をユーザＡと親密度が低い人物であると判定する。なお、ステップＳ７において、カメラ部１０６の撮影画像から人物の顔が検出されても、その顔画像データがメモリ１０７に記憶されておらず、誰なのかを特定できない場合もある。すなわち、情報表示装置１０の周囲に、ユーザとして登録されていない人物がいる場合である。このような人物については、ここでは、ユーザＡと親密度が低いと判定する。
【００４２】
本実施の形態では、情報表示装置１０の周囲に端末装置２０のユーザと親密度が低い人物がいるか否かで、端末装置２０の端末表示部２０２に表示させる表示画面を変化させるようになっている。情報表示装置１０の制御部１０１は、ユーザＡと親密度が低い人物がいないと判定した場合にはステップＳ８を否定判定してステップＳ９に進み、所定の表示画面を表示する第１表示処理を実行する。一方、情報表示装置１０の制御部１０１は、ユーザＡと親密度が低い人物がいると判定した場合にはステップＳ８を肯定判定してステップＳ１０に進み、第１表示処理と異なる表示画面を表示する第２表示処理を実行する。
【００４３】
（ユーザＡと親密度が低い人物がいない場合に行う第１表示処理）
まず、情報表示装置１０の周囲にユーザＡと親密度が低い人物がいない場合に行う第１表示処理の流れを、図５に示すフローチャートを用いて説明する。なお、情報表示装置１０の周囲にユーザＡと親密度が低い人物がいない場合とは、情報表示装置１０の周囲にユーザＡのみがいる場合、または、ユーザＡのほか、ユーザＡと親密度が高い人物のみがいる場合である。
【００４４】
図５のステップＳ２１において、情報表示装置１０の制御部１０１は、ステップＳ６（図４）で抽出されたユーザＢの写真画像（およびコメントがある場合はそのコメント）とユーザＢの名前およびプロフィール画像のデータを、無線送受信部１１０を用いて端末装置２０に送信する。
【００４５】
ステップＳ２１の次のステップＳ２２において、端末装置２０の制御部２０１は、図６に示す表示画面を端末表示部２０２に表示させる。端末表示部２０２の表示画面では、ステップＳ１（図４）でユーザＡが写真画像を選択したときから、表示画面内の上部に、ユーザＡが選択した写真画像ＰｉＡが表示された状態となっている。そして、ステップＳ２２で、端末装置２０の制御部２０１は、情報表示装置１０から送信されたユーザＢの写真画像ＰｉＢおよびコメントＣｍＢと、ユーザＢの名前ＮａＢおよびプロフィール画像ＰｆＢとを端末表示部２０２にスーパーインポーズ表示させる。ここで、ユーザＢの写真画像ＰｉＢは、ユーザＡがアップロードしようとしている写真画像ＰｉＡと関連付けを行う候補画像として表示されるものである。また、端末表示部２０２の表示画面内の下部には、写真画像のアップロードを指示するための「ＵＰＬＯＡＤ」ボタンＢｔ１や、写真画像のアップロードをキャンセルするための「ＣＡＮＣＥＬ」ボタンＢｔ２、関連付けを行う候補画像として表示された写真画像ＰｉＢに関してさらに詳細の情報を要求するための「ＭＯＲＥ  ＩＮＦＯ．」ボタンＢｔ３などが表示される。
【００４６】
ユーザＡは、端末装置２０の端末表示部２０２に表示されたユーザＢの写真画像ＰｉＢを確認し、自身の写真画像ＰｉＡとこのユーザＢの写真画像ＰｉＢとを関連付けたいかどうかを判断する。ユーザＡは、自身の写真画像ＰｉＡとユーザＢの写真画像ＰｉＢとを関連付けたいと判断した場合には、そのまま（すなわちユーザＢの写真画像ＰｉＢおよびプロフィール画像ＰｆＢが表示された状態のまま）端末装置２０を情報表示装置１０のディスプレイ１０２に押し付ける。
【００４７】
端末装置２０の制御部２０１は、上記端末装置２０を情報表示装置１０に押し付ける操作が行われたことを検出すると、ステップＳ２３へ進む。なお、端末装置２０を情報表示装置１０のディスプレイ１０２に押し付ける操作を検出する方法としては、たとえば、情報表示装置１０のディスプレイ１０２へ与えられる圧力を検出する、もしくはディスプレイ１０２へ与えられる衝撃を検出するなど、種々の既存技術を用いればよい。
【００４８】
ステップＳ２３において、端末装置２０の制御部２０１は、ユーザＡの写真画像ＰｉＡと、ユーザＡの写真画像ＰｉＡおよびユーザＢの写真画像ＰｉＢが関連付けされていることを示す関連付け情報とを、無線送受信部２１０を用いて情報表示装置１０に送信する。
【００４９】
ステップＳ２３の次のステップＳ２４において、情報表示装置１０の制御部１０１は、端末装置２０から送信されたユーザＡの写真画像ＰｉＡを、ディスプレイ１０２内の端末装置２０が接触された位置に表示させる。なお、ディスプレイ１０２内の端末装置２０が接触された位置を検出する方法としては、たとえば、タッチセンサ１０４の出力信号を用いるなど、種々の既存技術を用いればよい。
【００５０】
また、写真画像ＰｉＡの表示と共に、情報表示装置１０の制御部１０１は、端末装置２０から送信された上記関連付け情報に応じて、ユーザＡの写真画像ＰｉＡとユーザＢの写真画像ＰｉＢとが関連付けられていることを示すグラフィカルな効果をディスプレイ１０２に表示させる。このようなグラフィカルな効果の一例としては、図７に示すように、ディスプレイ１０２に表示されたユーザＡの写真画像ＰｉＡとユーザＢの写真画像ＰｉＢとをつなぐ太い線Ｌｉを表示させることなどが考えられる。
【００５１】
一方、ユーザＡは、自身の写真画像ＰｉＡとユーザＢの写真画像ＰｉＢとを関連付けたくないと判断した場合は、図６に示す端末表示部２０２の表示画面において、タッチセンサ２０４を介してユーザＢの写真画像ＰｉＢをタッチして表示画面外にスワイプする。
【００５２】
端末装置２０の制御部２０１は、タッチセンサ２０４からの検出信号に基づいて、ユーザＢの写真画像ＰｉＢを表示画面外にスワイプする操作が行われたことを検出すると、図５のステップＳ２５へ進む。ステップＳ２５において、端末装置２０の制御部２０１は、ユーザＡの写真画像ＰｉＡを無線送受信部２１０を用いて情報表示装置１０に送信する。なお、この場合には、ユーザＡの写真画像ＰｉＡとユーザＢの写真画像ＰｉＢとは関連付けしないので、関連付け情報については情報表示装置１０に送信しない。
【００５３】
ステップＳ２５の次のステップＳ２６において、情報表示装置１０の制御部１０１は、端末装置２０から送信されたユーザＡの写真画像ＰｉＡを、ディスプレイ１０２内の端末装置２０が接触された位置（図４のステップＳ２で接触された位置）に表示させる。このとき、情報表示装置１０の制御部１０１は、無線送受信部１１０において上記関連付け情報を受信していないので、ユーザＡの写真画像ＰｉＡとユーザＢの写真画像ＰｉＢとの関連付けを示す表示は行わない。
【００５４】
また、実際にはユーザＡは、ユーザＢと親密度が高くなく、情報表示システム１においてユーザＢとの親密度が高いと判定されないようにしたい場合もある。このような場合、ユーザＡは、図６に示す端末表示部２０２の表示画面において、タッチセンサ２０４を介してユーザＢのプロフィール画像ＰｆＢをタッチして端末表示部２０２の表示画面外にスワイプする。
【００５５】
端末装置２０の制御部２０１は、タッチセンサ２０４からの検出信号に基づいて、ユーザＢのプロフィール画像ＰｆＢを表示画面外にスワイプする操作が行われたことを検出すると、図５のステップＳ２７へ進む。ステップＳ２７において、端末装置２０の制御部２０１は、ユーザＡの写真画像ＰｉＡと、ユーザＡおよびユーザＢ間の親密度が高くないことを示す親密度情報とを、無線送受信部２１０を用いて情報表示装置１０に送信する。なお、この場合には、ユーザＡの写真画像ＰｉＡとユーザＢの写真画像ＰｉＢとは関連付けしないので、関連付け情報については情報表示装置１０に送信しない。
【００５６】
ステップＳ２８において、情報表示装置１０の制御部１０１は、端末装置２０から送信されたユーザＡの写真画像ＰｉＡを、ディスプレイ１０２内の端末装置２０が接触された位置（図４のステップＳ２で接触された位置）に表示させる。このとき、情報表示装置１０の制御部１０１は、無線送受信部１１０において上記関連付け情報を受信していないので、ユーザＡの写真画像ＰｉＡとユーザＢの写真画像ＰｉＢとの関連付けを示す表示は行わない。
【００５７】
ステップＳ２８の次のステップＳ２９において、情報表示装置１０の制御部１０１は、端末装置２０から送信された上記親密度情報に基づいて、ユーザＡとユーザＢと親密度の判定結果を修正し、メモリ１０７に記憶させる。これ以降、情報表示装置１０の制御部１０１は、メモリ１０７に記憶された上記親密度情報（ユーザＡとユーザＢとの親密度が高くないことを示す情報）を参照して、ユーザＡとユーザＢとの親密度が高いという判定を行わないようにする。
【００５８】
ステップＳ２４またはＳ２６またはＳ２９の次のステップＳ３０において、端末装置２０は、無線送受信部２１０により写真画像のディスプレイ１０２への表示が完了した旨を情報表示装置１０から受信する。すると、端末装置２０の制御部２０１は、この旨をユーザに提示するダイアログやアニメーション効果などを端末装置２０の端末表示部２０２に表示させて、処理を終了する。
【００５９】
ユーザＡは情報表示装置１０の前にいるため、情報表示装置１０の周囲にユーザＡと親密度が低い人物がいないことは、ユーザＡの周囲にユーザＡと親密度が低い人物がいないことを意味する。したがって、ユーザＡの端末装置２０の端末表示部２０２を、ユーザＡと親密度の低い人物に見られるおそれがないため、ユーザＡが他のユーザとの親密度に関する入力を行う際の心理的なストレスが比較的低いことが予測される。そこで、以上のように、情報表示装置１０の周囲にユーザＡと親密度が低い人物がいない場合には、端末装置２０は、ユーザＡと親密度が高いと判定されたユーザＢのプロフィール画像ＰｆＢを端末表示部２０２に表示させ、ユーザＡとユーザＢとの親密度に関する入力を可能としている。
【００６０】
（ユーザＡと親密度が低い人物がいる場合に行う第２表示処理）
次に、情報表示装置１０の周囲にユーザＡと親密度が低い人物がいる場合に行う第２表示処理の流れを、図８に示すフローチャートを用いて説明する。
【００６１】
図８のステップＳ４１において、情報表示装置１０の制御部１０１は、ステップＳ６（図４）で抽出されたユーザＢの写真画像のみを、無線送受信部１１０を用いて端末装置２０に送信する。すなわち、第２表示処理では、第１表示処理とは異なり、情報表示装置１０は、ユーザＢの写真画像に対するコメントとユーザＢの名前およびプロフィール画像とを端末装置２０に送信しない。
【００６２】
ステップＳ４１の次のステップＳ４２において、端末装置２０の制御部２０１は、図９に示す表示画面を端末表示部２０２に表示させる。端末表示部２０２の表示画面では、ステップＳ１（図４）でユーザＡが写真画像を選択したときから、表示画面内の上部に、ユーザＡが選択した写真画像ＰｉＡが表示された状態となっている。そして、ステップＳ４２で、端末装置２０の制御部２０１は、情報表示装置１０から送信されたユーザＢの写真画像ＰｉＢを端末表示部２０２にスーパーインポーズ表示させる。このとき、端末装置２０は、ユーザＢの写真画像に対するコメントとユーザＢの名前およびプロフィール画像については無線送受信部２１０で受信していないので、第１表示処理の表示画面（図６）とは異なり、第２表示処理の表示画面（図９）では表示しない。なお、端末表示部２０２の表示画面内の下部に、「ＵＰＬＯＡＤ」ボタンＢｔ１や、「ＣＡＮＳＥＬ」ボタンＢｔ２、「ＭＯＲＥ  ＩＮＦＯ．」ボタンＢｔ３などについては、第１表示処理と同様に表示されている。
【００６３】
ユーザＡは、端末装置２０の端末表示部２０２に表示されたユーザＢの写真画像ＰｉＢを確認し、自身の写真画像ＰｉＡとこのユーザＢの写真画像ＰｉＢとを関連付けたいかどうかを判断する。ユーザＡは、自身の写真画像ＰｉＡとユーザＢの写真画像ＰｉＢとを関連付けたいと判断した場合には、そのまま（すなわちユーザＢの写真画像ＰｉＢおよびプロフィール画像ＰｆＢが表示された状態のまま）端末装置２０を情報表示装置１０のディスプレイ１０２に押し付ける。
【００６４】
端末装置２０の制御部２０１は、上記端末装置２０を情報表示装置１０に押し付ける操作が行われたことを検出すると、図８のステップＳ４３へ進む。ステップＳ４３において、端末装置２０の制御部２０１は、ユーザＡの写真画像ＰｉＡと、ユーザＡの写真画像ＰｉＡおよびユーザＢの写真画像ＰｉＢが関連付けされていることを示す関連付け情報とを、無線送受信部２１０を用いて情報表示装置１０に送信する。
【００６５】
ステップＳ４３の次のステップＳ４４において、情報表示装置１０の制御部１０１は、端末装置２０から送信されたユーザＡの写真画像ＰｉＡを、ディスプレイ１０２内の端末装置２０が接触された位置に表示させる。これと共に、情報表示装置１０の制御部１０１は、端末装置２０から送信された上記関連付け情報に応じて、ユーザＡの写真画像ＰｉＡとユーザＢの写真画像ＰｉＢとが関連付けられていることを示すグラフィカルな効果を（たとえば、図７に示すように）ディスプレイ１０２に表示させる。
【００６６】
一方、ユーザＡは、自身の写真画像ＰｉＡとユーザＢの写真画像ＰｉＢとを関連付けたくないと判断した場合は、図９に示す端末装置２０２の表示画面において、タッチセンサ２０４を介してユーザＢの写真画像ＰｉＢをタッチして表示画面外にスワイプする。
【００６７】
端末装置２０の制御部２０１は、タッチセンサ２０４からの検出信号に基づいて、ユーザＢの写真画像ＰｉＢを表示画面外にスワイプする操作が行われたことを検出すると、図８のステップＳ４５へ進む。ステップＳ４５において、端末装置２０の制御部２０１は、ユーザＡの写真画像ＰｉＡを無線送受信部２１０を用いて情報表示装置１０に送信する。なお、この場合には、ユーザＡの写真画像ＰｉＡとユーザＢの写真画像ＰｉＢとは関連付けしないので、関連付け情報については情報表示装置１０に送信しない。
【００６８】
ステップＳ４５の次のステップＳ４６において、情報表示装置１０の制御部１０１は、端末装置２０から送信されたユーザＡの写真画像ＰｉＡを、ディスプレイ１０２内の端末装置２０が接触された位置（図４のステップＳ２で接触された位置）に表示させる。このとき、情報表示装置１０の制御部１０１は、無線送受信部１１０において上記関連付け情報を受信していないので、ユーザＡの写真画像ＰｉＡとユーザＢの写真画像ＰｉＢとの関連付けを示す表示は行わない。
【００６９】
ステップＳ４４またはＳ４６の次のステップＳ４７において、端末装置２０の制御部２０１は、無線送受信部２１０により写真画像のディスプレイ１０２への表示が完了した旨を情報表示装置１０から受信する。すると、端末装置２０の制御部２０１は、この旨をユーザに提示するダイアログやアニメーション効果などを端末装置２０の端末表示部２０２に表示させて、処理を終了する。
【００７０】
ユーザＡは情報表示装置１０の前にいるため、情報表示装置１０の周囲にユーザＡと親密度が低い人物がいることは、ユーザＡの周囲にユーザＡと親密度が低い人物がいることを意味する。したがって、ユーザＡの端末装置２０の端末表示部２０２を、ユーザＡと親密度の低い人物に見られるおそれがあるため、ユーザＡが他のユーザとの親密度に関する入力を行う際の心理的なストレスが比較的高いことが予測される。そこで、以上のように、情報表示装置１０の周囲にユーザＡと親密度が低い人物がいる場合には、端末装置２０は、端末表示部２０２に、ユーザＢの写真画像ＰｉＢは表示させるが、ユーザＢのプロフィール画像ＰｆＢは表示させず、ユーザＡとユーザＢとの親密度に関する入力を不可能にしている。これにより、ユーザＡがユーザＢとの親密度をどのように判断したかを、周囲の人物に見られることを防止する。
【００７１】
以上説明した実施の形態によれば、次の作用効果が得られる。
（１）情報表示システム１において、情報表示装置１０の制御部１０１は、カメラ部１０６による撮影画像に基づいて、情報表示装置１０の周囲の人物を検出し、検出された人物同士の親密度を判定する。具体的には、制御部１０１は、検出された端末装置２０のユーザとの親密度が低い人物が、検出された人物の中にいるか否かを判定する。端末装置２０のユーザと親密度が低い人物がいると判定された場合には、端末装置２０の制御部２０１は、端末表示部２０２に対する所定画面（上述ではユーザＢのプロフィール画像を含む表示画面）の表示を制限する。これにより、端末装置２０のユーザの心理的なストレスを軽減するユーザインターフェイスを提供することができる。
【００７２】
（２）端末装置２０のユーザと親密度が低い人物がいないと判定された場合には、端末装置２０の制御部２０１は、個人情報（上述ではユーザＢのプロフィール画像）を含む表示画面（図６）を端末表示部２０２に表示させる。一方、端末装置２０のユーザと親密度が低い人物がいると判定された場合には、端末装置２０の制御部２０１は、個人情報（上述ではユーザＢのプロフィール画像）を含む表示画面を端末表示部２０２に表示させない。これにより、心理的なストレスを感じやすい状況では個人情報を表示させないことで端末装置２０のユーザの心理的なストレスを軽減でき、心理的なストレスを感じにくい状況では個人情報を表示させて端末装置２０のユーザに個人情報を確認させることができる。
【００７３】
（３）端末装置２０のユーザと親密度が低い人物がいないと判定された場合には、端末装置２０の制御部２０１は、人物同士の親密度（上述ではユーザＡとユーザＢの親密度）に関する情報の入力が可能な表示画面（図６）を端末表示部２０２に表示させる。一方、端末装置２０のユーザと親密度が低い人物がいると判定された場合には、端末装置２０の制御部２０１は、人物同士の親密度（上述ではユーザＡとユーザＢの親密度）に関する情報の入力が可能な表示画面を端末表示部２０２に表示させない。これにより、心理的なストレスを感じやすい状況では親密度の入力を不可能とすることで端末装置２０のユーザの心理的なストレスを軽減でき、心理的なストレスを感じにくい状況では端末装置２０のユーザに親密度の入力を行わせることができる。
【００７４】
−第２の実施の形態−
次に、第２の実施の形態について説明する。第２の実施の形態では、情報表示装置１０の周囲にいる人物における情報表示装置１０の使用履歴情報に応じて、端末装置２０の端末表示部２０２に表示させる表示画面を変化させる点が第１の実施の形態と異なっている。なお、第２の実施の形態において、情報表示システム１の構成（図１）や情報表示装置１０および端末装置２０の構成（図２）、情報表示装置１０の表示画面（図３）は第１の実施の形態と同様であるため、説明を省略する。
【００７５】
第２の実施の形態の情報表示システム１は、たとえば、駅の掲示板として利用することができる。この場合、情報表示装置１０が駅に設置され、駅の利用者がユーザとなる。駅の利用者は、自身の所有する端末装置２０を用いて、画像やメッセージなどを情報表示装置１０に送信し、ディスプレイ１０２の所望の位置に表示させることができる。
【００７６】
第２の実施の形態において、端末装置２０から情報表示装置１０に画像をアップロードする動作の流れについて、図１０に示すフローチャートを用いて説明する。図１０のステップＳ６１〜Ｓ６７の処理は、第１の実施の形態のステップＳ１〜Ｓ７と同様であるため、詳細の説明を省略する。すなわち、情報表示装置１０は、端末装置２０と通信を開始して、端末装置２０のユーザＡと親密度が高いユーザＢの画像を関連付けの候補画像として抽出する。また、情報表示装置１０は、カメラ部１０６による撮影画像を用いて周囲の人物を検出する。
【００７７】
ステップＳ６８において、情報表示装置１０の制御部１０１は、ステップＳ６７で検出された人物における情報表示装置１０の使用履歴情報を取得する。各ユーザにおける情報表示装置１０の使用履歴情報については、たとえば、情報表示装置１０のメモリ１０７に記憶されている。情報表示装置１０の制御部１０１は、各ユーザが情報表示装置１０を使用するたびに使用履歴情報をメモリ１０７に蓄積していく。なお、使用履歴情報とは、たとえば、情報表示装置１０の使用日時や使用回数などである。また、情報表示装置１０を使用するとは、たとえば画像やメッセージを情報表示装置１０にアップロードしたり、情報表示装置１０からダウンロードしたりすることである。
【００７８】
ステップＳ６９において、情報表示装置１０の制御部１０１は、ステップＳ６８で取得した使用履歴情報に基づいて、ステップＳ６７で検出された人物のうち、情報表示装置１０の使用回数が少ない人物がいるか否かを判定する。ここでは、たとえば、情報表示装置１０の使用回数が所定の閾値以下である人物を使用回数が少ない人物であると判定する。なお、ステップＳ６７において、カメラ部１０６の撮影画像から人物の顔が検出されても、その顔画像データがメモリ１０７に記憶されておらず、誰なのかを特定できない場合もある。すなわち、情報表示装置１０の周囲にユーザとして登録されていない人物がいる場合である。このような人物は、情報表示装置１０を使用したことがない人物であるため、使用回数が少ない人物と判定する。
【００７９】
情報表示装置１０の使用回数がある程度高い人物同士については、たとえばお店の常連客同士が顔見知りとなるように、馴染みがある可能性がある。そのため、情報表示装置１０の周囲に、使用回数の少ない人物がいない状況、すなわち使用回数がある程度高い人物のみがいる状況では、端末装置２０のユーザが心理的なストレスを感じにくいと考えられる。そこで、情報表示装置１０の制御部１０１は、情報表示装置１０の使用回数が少ない人物がいないと判定した場合にはステップＳ６９を否定判定してステップＳ７０に進み、上述した第１表示処理を実行する。すなわち、端末装置２０は、端末装置２０のユーザＡと親密度が高いと判定されたユーザＢのプロフィール画像を端末表示部２０２に表示させ、ユーザＡとユーザＢとの親密度に関する入力を可能とする。なお、第１表示処理については、上記第１の実施の形態と同様であるため説明を省略する。
【００８０】
一方、情報表示装置１０の周囲に、使用回数の少ない人物がいる状況では、自分と馴染みのない人物がいることから、端末装置２０のユーザが心理的なストレスを感じやすいと考えられる。そこで、情報表示装置１０の制御部１０１は、情報表示装置１０の使用回数が少ない人物がいると判定した場合にはステップＳ６９を肯定判定してステップＳ７１に進み、上述した第２表示処理（図８）を実行する。すなわち、端末装置２０は、端末表示部２０２に、端末装置２０のユーザＡと親密度が高いユーザＢの写真画像は表示させるが、ユーザＢのプロフィール画像は表示させず、ユーザＡとユーザＢとの親密度に関する入力を不可能とする。なお、第２表示処理については、上記第１の実施の形態と同様であるため説明を省略する。
【００８１】
以上説明した実施の形態によれば、次の作用効果が得られる。
情報表示システム１において、情報表示装置１０の制御部１０１は、カメラ部１０６による撮影画像に基づいて、情報表示装置１０の周囲の人物を検出する。そして、制御部１０１は、検出された人物の使用履歴情報をメモリ１０７から取得する。端末装置２０の制御部２０１は、上記取得された使用履歴情報に応じて、端末表示部２０２に対する所定画面（上述ではユーザＢのプロフィール画像を含む表示画面）の表示を制限する。具体的には、情報表示装置１０の使用回数が少ない人物がいると判定された場合に、端末装置２０の制御部２０１は、端末表示部２０２に対する所定画面（上述ではユーザＢのプロフィール画像を含む表示画面）の表示を制限する。これにより、端末装置２０のユーザの心理的なストレスを軽減するユーザインターフェイスを提供することができる。
【００８２】
−第３の実施の形態−
次に、第３の実施の形態について説明する。第３の実施の形態でも、第２の実施の形態と同様に、情報表示装置１０の使用履歴情報を用いるが、その利用方法が異なっている。なお、第３の実施の形態において、情報表示システム１の構成（図１）や情報表示装置１０および端末装置２０の構成（図２）、情報表示装置１０の表示画面（図３）などは第１および第２の実施の形態と同様であるため、説明を省略する。
【００８３】
第３の実施の形態において、端末装置２０から情報表示装置１０に画像をアップロードする動作の流れについて、図１１に示すフローチャートを用いて説明する。図１１のステップＳ８１〜Ｓ８８の処理は、第２の実施の形態のステップＳ６１〜Ｓ６８と同様であるため、詳細の説明を省略する。すなわち、情報表示装置１０は、端末装置２０と通信を開始して、端末装置２０のユーザと親密度が高いユーザの画像を関連付けの候補画像として抽出する。また、情報表示装置１０は、周囲の人物を検出し、検出した人物における使用履歴情報を取得する。
【００８４】
ステップＳ８９において、情報表示装置１０の制御部１０１は、ステップＳ８８で取得した使用履歴情報において、端末装置のユーザＡにおける使用履歴情報と、ユーザＡ以外の人物の使用履歴情報とを比較する。具体的には、制御部１０１は、ユーザＡとユーザＡ以外の人物との使用日時を比較し、比較結果に基づいて、ユーザＡと同時に情報表示装置１０を使用したことのある人物と同じ時間に使用した回数とを検出する。ユーザＡと同じ時に情報表示装置１０を使用した回数が多い人物については、ユーザＡと親密度が高いことが予測される。そこで制御部１０１は、ユーザＡと同じ時間に情報表示装置１０を使用した回数が所定回数以上である人物についてはユーザＡとの親密度が高いと判定し、これ以外の人物についてはユーザＡとの親密度が低いと判定する。なお、ステップＳ８７において、カメラ部１０６の撮影画像から人物の顔を検出しても、その顔画像データがメモリ１０７に記憶されておらず、誰なのかを特定できない場合もある。すなわち、情報表示装置１０の周囲にユーザとして登録されていない人物がいる場合である。このような人物は、ここでは、ユーザＡとの親密度が低いと判定する。
【００８５】
ステップＳ９０において、情報表示装置１０の制御部１０１は、ステップＳ８９での判定結果に基づいて、ステップＳ８７で検出された人物のうち、端末装置２０のユーザであるユーザＡと親密度が低い人物がいるか否かを判定する。
【００８６】
情報表示装置１０の制御部１０１は、ユーザＡと親密度が低い人物がいないと判定した場合にはステップＳ９０を否定判定してステップＳ９１に進み、上述した第１表示処理を実行する。すなわち、端末装置２０は、端末装置２０のユーザＡと親密度が高いと判定されたユーザＢのプロフィール画像を端末表示部２０２に表示させ、ユーザＡとユーザＢとの親密度に関する入力を可能とする。なお、第１表示処理については、上記第１の実施の形態と同様であるため説明を省略する。
【００８７】
一方、情報表示装置１０の制御部１０１は、ユーザＡと親密度が低い人物がいると判定した場合にはステップＳ９０を肯定判定してステップＳ９２に進み、上述した第２表示処理（図８）を実行する。すなわち、端末装置２０は、端末表示部２０２に、端末装置２０のユーザＡと親密度が高いユーザＢの写真画像は表示させるが、ユーザＢのプロフィール画像は表示させず、ユーザＡとユーザＢとの親密度に関する入力を不可能とする。なお、第２表示処理については、上記第１の実施の形態と同様であるため説明を省略する。
【００８８】
以上説明した実施の形態によれば、次の作用効果が得られる。
情報表示システム１において、情報表示装置１０の制御部１０１は、カメラ部１０６による撮影画像に基づいて、情報表示装置１０の周囲の人物を検出する。そして、制御部１０１は、検出された人物の使用履歴情報をメモリ１０７から取得し、端末装置のユーザにおける上記使用履歴情報と、端末装置のユーザ以外の人物における上記使用履歴情報とを比較する。端末装置２０の制御部２０１は、上記比較結果に応じて、端末表示部２０２に対する所定画面（上述ではユーザＢのプロフィール画像を含む表示画面）の表示を制限する。これにより、端末装置２０のユーザの心理的なストレスを軽減するユーザインターフェイスを提供することができる。
【００８９】
次のような変形も本発明の範囲内であり、変形例の一つ、もしくは複数を上述の実施の形態と組み合わせることも可能である。
−変形例１−
上述した実施の形態では、カメラ部１０６により情報表示装置１０の前方を撮影した撮影画像に基づいて、情報表示装置１０の周囲にいる人物を検出する例について説明したが、検出方法はこれに限らなくてもよい。たとえば、端末装置２０が情報表示装置１０と近接して使用されることを前提として、情報表示装置１０と現在通信を行っている全ての端末装置２０のユーザを、情報表示装置１０の周囲にいる人物として検出するようにしてもよい。また、端末装置２０が情報表示装置１０と離れて使用されることもある場合には、たとえば、情報表示装置１０に人感センサを設け、現在通信を行っている端末装置２０のユーザが情報表示装置１０の近傍にいるか否かを人感センサの検出結果をもとに判断するようにしてもよい。
【００９０】
−変形例２−
上述した実施の形態では、端末装置２０の表示画面に対するスワイプ操作に応じて、写真画像同士の関連付けやユーザ同士の親密度に関する制御を行う例について説明したが、操作方法はこれに限らなくてもよい。たとえば、端末装置２０の振動を検出する振動検出センサを設け、振動検出センサの検出結果に応じて、写真画像同士の関連付けやユーザ同士の親密度に関する制御を行うようにしてもよい。この場合、たとえば、ユーザが端末装置２０を小刻みに左右に揺らす操作によって、写真画像同士を関連付けしないように指示し、端末装置２０を大きく左右に揺らす操作によって、親密度が高いと判定しないように指示する。このようなユーザが端末装置２０を揺らすといったシンプルな操作では、指先の細かな操作を必要としないため、ユーザの利便性を向上することができる。
【００９１】
−変形例３−
上述した実施の形態では、端末装置２０を情報表示装置１０に近接して使うことを前提としていたが、ある程度の距離をおいて使用できるようにしてもよい。この場合は、たとえば、端末装置２０のカメラ部２０６により情報表示装置１０のディスプレイ１０２の表示画面を撮影し、撮影画像を端末表示部２０２に表示させる。ユーザは、端末表示部２０２に表示された撮影画像上で、写真画像やメッセージを表示させたい位置を指定する。
【００９２】
−変形例４−
上述した実施の形態では、直感的な操作感を与えるために、情報表示装置１０のディスプレイ１０２と端末装置２０とを接触させるとユーザ認証を行う例について説明したが、ユーザ認証の方法はこれに限らなくてもよい。端末装置２０による画像のアップロードやダウンロード、メッセージの送受信などにおけるユーザ認証は、一般的な装置間通信と同様に、端末装置２０の固有ＩＤとユーザのアカウント情報とを用いて行ってもよい。このようなユーザ認証の方式については様々な既存技術があるため詳細な説明は割愛する。
【００９３】
−変形例５−
上述した第１の実施の形態では、情報表示装置１０の周囲に端末装置２０のユーザＡと親密度が低い人物がいるか否かに応じて、ユーザＡと親密度の高いユーザＢの写真画像のみを送信するか、ユーザＢの写真画像と共にプロフィール画像を送信するかを切り替える例について説明した。しかしながら、端末装置２０側で、情報表示装置１０の周囲に端末装置２０のユーザＡと親密度が低い人物がいるか否かに応じて、ユーザＢの写真画像のみを表示するか、ユーザＢの写真画像と共にプロフィール画像を表示するかを切り替えるようにしてもよい。
【００９４】
この場合、情報表示装置１０の周囲にユーザＡと親密度が低い人物がいる場合にも、情報表示装置１０は、端末装置２０に対してユーザＢの写真画像と共にプロフィール画像も送信する。しかしながら、端末装置２０は、図９に示したようにユーザＢの写真画像ＰｉＢのみを端末表示部２０２に表示する。そして、たとえば、ユーザにより「ＭＯＲＥ  ＩＮＦＯ．」ボタンＢｔ３がタップ操作されることにより詳細情報を表示する指示があった場合には、端末装置２０は、図６に示したようにユーザＢのプロフィール画像ＰｆＢを端末表示部２０２に表示するようにしてもよい。
【００９５】
−変形例６−
上述した第１の実施の形態では、情報表示装置１０側で、情報表示装置１０の周囲にいる人物を検出し、端末装置２０のユーザとの親密度を判定する処理を行う例について説明した。この代わりに、端末装置２０側で、たとえば端末装置２０のカメラ部２０６により撮影した画像に基づいて、端末装置２０の周囲にいる人物を検出し、端末装置２０のユーザとの親密度を判定する処理を行うようにしてもよい。
【００９６】
−変形例７−
上述した実施の形態では、情報表示装置１０においてユーザ同士の親密度を判定する例について説明したが、これに限らなくてよい。情報表示装置１０は、たとえば、外部のソーシャルネットワークサービスを提供するサーバ装置などから、ユーザ同士の親密度に関連する情報（たとえばユーザ同士の友人関係など）を取得するようにしてもよい。
【００９７】
−変形例８−
上述した第１の実施の形態では、ユーザ同士の親密度に関する情報を入力するための表示画面に関して本発明を適用する例を説明したが、本発明を適用する状況はこれに限らなくてよい。たとえば、端末装置２０において、たとえば名前や住所などの個人情報を表示する表示画面について、周囲に親密度が低い人物がいる場合には表示を制限するようにしてもよい。
【００９８】
−変形例９−
上述した第１の実施の形態では、情報表示装置１０が学校の教室に設置されており、ユーザがその教室の生徒達である例を説明したが、これに限らなくてよい。また、上述した第２の実施の形態では、情報表示装置１０が駅に掲示板として設置されており、ユーザがその駅の利用者である例を説明したが、これに限らなくてよい。上述した第１〜第３の実施の形態において、情報表示装置１０を、学校や会社など特定のユーザに利用される場所に設置してもよいし、公共施設や店舗など不特定多数のユーザに利用される場所に設置してもよい。
【００９９】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１００】
１…情報表示システム、１０…情報表示装置、２０…端末装置、１０１、２０１…制御部、１０２…ディスプレイ、１０４、２０４…タッチセンサ、１０６、２０６…カメラ部、１０７、２０７…メモリ、１１０、２１０…無線送受信部、２０２…端末表示部
【図１】
2015103158.tif 000003
【図２】
2015103158.tif 000004
【図３】
2015103158.tif 000005
【図４】
2015103158.tif 000006
【図５】
2015103158.tif 000007
【図６】
2015103158.tif 000008
【図７】
2015103158.tif 000009
【図８】
2015103158.tif 000010
【図９】
2015103158.tif 000011
【図１０】
2015103158.tif 000012
【図１１】
2015103158.tif 000013